(57)【要約】【課題】嵌め込み角度の位置合わせが容易に行え、かつ、嵌め込み後に締付ネジを螺合させる際に嵌め込み角度のズレが生じない電気機器収納箱用円形ルーバ装置を提供すること。【解決手段】電気機器収納用箱の筐体１に形成された換気用の開口部６に嵌め込まれる円筒部７と、前記開口部６を被覆する羽板を備えたルーバ本体５と、前記円筒部７の外周面に形成されたネジ部８と螺合して、前記ルーバ本体を前記筐体に固定する締付ネジから構成される電気機器収納箱用円形ルーバ装置であって、前記円筒部７の前記開口部６への嵌め込み位置を規定するとともに、締付ネジ９の締結時に前記嵌め込み位置から回転移動することを防止する手段として、前記円筒部７の外周面１０を前後方向に亘って切り欠いた外側切欠き部１１を有する。【選択図】図１
2014216337.tif 000002
【特許請求の範囲】
【請求項１】
電気機器収納用箱の筐体に形成された換気用の開口部に嵌め込まれる円筒部と、前記開口部を被覆する羽板を備えたルーバ本体と、前記円筒部の外周面に形成されたネジ部と螺合して、前記ルーバ本体を前記筐体に固定する締付ネジから構成される電気機器収納箱用円形ルーバ装置であって、
前記円筒部の前記開口部への嵌め込み位置を規定するとともに、締付ネジの締結時に前記嵌め込み位置から回転移動することを防止する手段として、前記円筒部の外周面を前後方向に亘って切り欠いた外側切欠き部を有することを特徴とする電気機器収納箱用円形ルーバ装置。
【請求項２】
前記外側切欠き部として、前記円筒部の外周面を直線状に切り欠いた外側直線部を形成したことを特徴とする請求１記載の電気機器収納箱用円形ルーバ装置。
【請求項３】
前記外側直線部を複数有することを特徴とする請求２記載の電気機器収納箱用円形ルーバ装置。
【請求項４】
前記外側直線部が形成された外周面と対峙する内周面を直線状に切り欠いた内側直線部を有することを特徴とする請求２記載の電気機器収納箱用円形ルーバ装置。
【発明の詳細な説明】
【技術分野】
【０００１】
本発明は、電気機器収納箱用円形ルーバ装置に関するものである。
【背景技術】
【０００２】
屋外に設置される電気機器収納用箱では、一般に、筐体に形成された換気用の開口部をルーバで被覆して、筐体内へ雨水の侵入を防止している。
【０００３】
ルーバの取り付け構造として、前記の開口部に嵌め込まれる円筒部をルーバ本体に形成し、この円筒部を開口部に嵌め込んだ状態で、円筒部の外周面に形成されたネジ部にリング状の締付ネジを螺合させて、筐体に固定する構造（例えば、特許文献１）が広く採用されている。
【０００４】
ルーバは羽板の角度で雨水の侵入を遮るものであるため、所望の防水機能を奏するためには、開口部に対するルーバ本体の嵌め込みを適切な角度で行うことが必須となるところ、従来技術では、特に、円形ルーバ（円形の開口部に、断面がこの開口部と同形状の筒部を嵌め込むタイプ）の場合に、嵌め込み角度の位置合わせに手間がかかる問題や、嵌め込み後に締付ネジを螺合させる際、筒部が回転して嵌め込み角度にズレが生じやすいという問題があった。
【先行技術文献】
【特許文献】
【０００５】
【特許文献１】実開平６−３１１９７号公報
【発明の概要】
【発明が解決しようとする課題】
【０００６】
本発明の目的は前記の問題を解決し、嵌め込み角度の位置合わせが容易に行え、かつ、嵌め込み後に締付ネジを螺合させる際に嵌め込み角度のズレが生じない電気機器収納箱用円形ルーバ装置を提供することである。
【課題を解決するための手段】
【０００７】
上記課題を解決するためになされた本発明の電気機器収納箱用円形ルーバ装置は、電気機器収納用箱の筐体に形成された換気用の開口部に嵌め込まれる円筒部と、前記開口部を被覆する羽板を備えたルーバ本体と、前記円筒部の外周面に形成されたネジ部と螺合して、前記ルーバ本体を前記筐体に固定する締付ネジから構成される電気機器収納箱用円形ルーバ装置であって、前記円筒部の前記開口部への嵌め込み位置を規定するとともに、締付ネジの締結時に前記嵌め込み位置から回転移動することを防止する手段として、前記円筒部の外周面を前後方向に亘って切り欠いた外側切欠き部を有することを特徴とするものである。
【０００８】
請求項２記載の発明は、請求１記載の電気機器収納箱用円形ルーバ装置において、前記外側切欠き部として、前記円筒部の外周面を直線状に切り欠いた外側直線部を形成したことを特徴とするものである。
【０００９】
請求項３記載の発明は、請求２記載の電気機器収納箱用円形ルーバ装置において、前記外側直線部を複数有することを特徴とするものである。
【００１０】
請求項４記載の発明は、請求２記載の電気機器収納箱用円形ルーバ装置において、前記外側直線部が形成された外周面と対峙する内周面を直線状に切り欠いた内側直線部を有することを特徴とするものである。
【発明の効果】
【００１１】
本発明のように、電気機器収納用箱の筐体に形成された換気用の開口部に嵌め込まれる円筒部の前記開口部への嵌め込み位置を規定するとともに、締付ネジの締結時に前記嵌め込み位置から回転移動することを防止する手段として、前記円筒部の外周面を前後方向に亘って切り欠いた外側切欠き部を有する構成とすることにより、嵌め込み角度の位置合わせを容易とし、かつ、嵌め込み後に締付ネジを螺合させる際の嵌め込み角度のズレを防止することができる。
【００１２】
請求項２記載の発明のように、前記外側切欠き部として、前記円筒部の外周面を前後方向全域に亘って直線状に切り欠いた外側直線部を形成することにより、円筒部内の通気空間を狭めることなく、前記効果を奏することができる。
【００１３】
前記の回転防止効果は、外側直線部の長さに比例して強力になるところ、請求項３記載のように、前記外側直線部を複数有する構成として外側直線部の合計長さを確保したり、請求項４記載の発明のように、前記外側直線部が形成された外周面と対峙する内周面を直線状に切り欠いた内側直線部を有する構成として外側直線部をより長く確保することにより、その効果を更に強力にすることができる。
【図面の簡単な説明】
【００１４】
【図１】実施形態１の円形ルーバの分解斜視図である。
【図２】実施形態１の円形ルーバの円筒部の正面図である。
【図３】筐体に形成された換気用の開口部の正面図である。
【図４】他の実施形態の円形ルーバの円筒部正面図である。
【図５】実施形態２の円形ルーバの円筒部正面図である。
【図６】実施形態３の円形ルーバの円筒部正面図である。
【発明を実施するための形態】
【００１５】
以下に本発明の好ましい実施形態を示す。
【００１６】
（実施形態１）
図１に示すように、本実施形態の円形ルーバは、電気機器収納用箱の筐体１側に向けて上向きに傾斜させた外側羽根部２を有する外側ルーバ３と、前記筐体１側に向けて下向きに傾斜させた内側羽根部４を有するルーバ本体５からなる２重の防水構造を有している。
【００１７】
ルーバ本体５は、筐体１に形成された換気用の開口部６に筐体１の外側から嵌め込まれる円筒部７と、円筒部７の外周面に形成されたネジ部８を備え、この円筒部７を開口部６に嵌め込んだ状態で、ネジ部８にリング状の締付ネジ９を螺合させて、筐体１に固定される。なお、ルーバを、外側ルーバとルーバ本体５の二部材構成とせず、ルーバ本体に、外側羽根部２と内側羽根部４の双方を形成したり、外側羽根部２のみを形成することもできる。
【００１８】
円筒部７の外周面１０には、図１、２に示すように、外周面１０を前後方向（図１の矢印方向）に亘って直線状に切り欠いた外側直線部１１を、３カ所形成している。図３に示すように、筐体１の開口部６にも、前記の外側直線部１１に対応する位置に切欠き辺１６である直線辺を形成しておくことにより、円筒部７を開口部６に嵌め込む際の、嵌め込み角度が一義的に定まるため、位置合わせを確実かつ容易に行うことができる。また、当該構造では、円筒部７を開口部６に嵌め込んだ状態での円筒部７の回転が規制されるため、締付ネジ９を螺合させる際の嵌め込み角度のズレを確実に回避することができる。
【００１９】
本実施形態では、図２に示すように円筒部７の内周形状を変形することなく、すなわち、円筒部７の内の通気空間を狭めることなく、外側直線部１１を形成しているため、換気効率を維持しつつ、前記効果を奏することができる。
【００２０】
円筒部７の回転を規制する効果は、外側直線部１１の長さに比例して強力になるが、円筒部７の内の通気空間を狭めることなく、外側直線部１１を形成することを前提とすると、外側直線部１１の１か所ごとの長さは、円筒部７の厚み１２が残る範囲に限定され、所定値以上の長さとすることはできない。そこで、本実施形態では、外側直線部を３カ所に形成して、外側直線部の合計長さを確保することにより、前記効果を更に強力にしている。
【００２１】
外側直線部１１の形成箇所は、特に限定されないが、図２に示すように、外側直線部１１を外周面１０に奇数箇所（本実施形態では左右２カ所と下側の計３カ所）形成することにより、円筒部７を開口部６に嵌め込む際の、嵌め込み角度を一義的に定めることができる。
【００２２】
外側直線部１１を外周面１０の２カ所に形成する場合には、図４に示すように、各々の外側直線部１１を構成する切欠きライン１３ａ、１３ｂが、平行とならない位置に配置することにより、円筒部７を開口部６に嵌め込む際の、嵌め込み角度を一義的に定めることができる。
【００２３】
（実施形態２）
本実施形態は、図５に示すように、外側直線部１１が形成された外周面１０と対峙する内周面１４を直線状に切り欠いた内側直線部１５を有するものである。
【００２４】
円筒部７の内の通気空間を狭めることなく、外側直線部１１を形成することを前提とした実施形態１では、外側直線部１１の外側直線部の１か所ごとの長さは、円筒部７の厚み１２が残る範囲に限定され、所定値以上の長さとすることはできず、外側直線部を複数個所に形成して、外側直線部の合計長さを確保したが、本実施形態では、円筒部７の内周面１４にも直線状に切り欠いた内側直線部１５を形成することを前提とするため、外側直線部１１の１か所ごとの長さを、円筒部７の半径以下の範囲で自在に確保することができる。
【００２５】
（実施形態３）
上記実施形態は、何れも、「筐体１の開口部６への嵌め込み位置を規定するとともに、締付ネジ９の締結時に、前記嵌め込み位置から回転移動することを防止する手段」として、円筒部７の外周面１０を前後方向に亘って直線状に切り欠いた外側直線部１１を形成したものであるが、「筐体１の開口部６への嵌め込み位置を規定するとともに、締付ネジ９の締結時に、前記嵌め込み位置から回転移動することを防止する手段」は、円筒部７の外周面１０を前後方向に亘って切り欠いた外側切欠き部であればよく、特に、直線状に切り欠いたものには限定されず、曲線状に切り欠いたものとすることもできる。その他、図６に示すように、外側切欠き部として、凹状の溝部１７を形成することもできる。
【符号の説明】
【００２６】
１  筐体
２  外側羽根部
３  外側ルーバ
４  内側羽根部
５  ルーバ本体
６  開口部
７  円筒部
８  ネジ部
９  締付ネジ
１０  外周面
１１  外側直線部
１２  厚み
１３ａ、１３ｂ  切欠きライン
１４  内周面
１５  内側直線部
１６  切欠き辺
１７  凹状の溝部
【図１】
2014216337.tif 000003
【図２】
2014216337.tif 000004
【図３】
2014216337.tif 000005
【図４】
2014216337.tif 000006
【図５】
2014216337.tif 000007
【図６】
2014216337.tif 000008